(57)【特許請求の範囲】
【請求項１】
住宅のバルコニー床部を形成する防水パンを、住宅の壁面に突設されたブラケットに固定するバルコニーの防水パンの固定構造であって、
前記防水パンの裏面側には、前記ブラケット側に連結部材を介して固定するための係合部としての突部が突出して設けられ、この突部には、上記連結部材の一端部が係止される孔部が開設されると共に、
前記ブラケットの側面部には、上記突部との間を上記連結部材により固定されることにより、防水パンをブラケットへ固定する固定片が設けられ、この固定片には、上記連結部材の他端部が係止される孔部が開設されており、
前記連結部材は、全体略棒状に形成されたフック部材と、ナットとからなり、
上記フック部材は、一端部は折曲形成されて係止部が形成されると共に他端部には上記スクリュー部が形成され、
上記フック部材は、上記ブラケット上に防水パンが載置された場合における上記突部と固定片との間の間隔寸法よりも大きく形成されており、
上記ブラケット上に防水パンが載置された場合において、上記突部側の孔部に上記フック部材の係止部を係止すると共に、固定片側の孔部内に上記スクリュー部を挿通させてナットにより締め付け固定するように構成されていることを特徴とするバルコニーの防水パンの固定構造。
【発明の詳細な説明】
【０００１】
【発明の属する技術分野】
本発明は、バルコニーの防水パンの固定構造に係り、特に、取付作業の容易なバルコニーの防水パンの固定構造に関する。
【０００２】
【背景技術】
一般に、住宅の外壁面にバルコニーをブラケットを用いて形成する場合には、図３に示すように、先ず、住宅の壁面２２に複数のブラケット２３を突設させ、このブラケット２３上に、ブラケット２３と直交するように、所定間隔を置いて複数の根太２４を配置して固定し、これらの根太２４の上に合板２５を介して防水パン２６を敷設すると共に、上記ブラケット２３の先端部に、手摺パネル材２７を、ブラケット２３を略垂直に固定する。
【０００３】
そして、図４及び図５に示すように、上記防水パン２６の周縁部においてドリルにより複数の固定用の孔部２８を開設し、防水パン２６の住宅内方側においては住宅の躯体２９へ、防水パン２６の住宅外方側においては手摺パネル材２７へ、スクリュー釘３０を上記孔部２８へネジ込み固定するように構成されていた。
【０００４】
【発明が解決しようとする課題】
しかしながら、このように構成された従来のバルコニーの防水パンの固定構造にあっては、上述のように、根太２４の上に合板２５を介して防水パン２６を敷設した後、防水パン２６の周縁部にドリルにより複数の固定用の孔部２８を開設し、スクリュー釘３０により躯体２９及び手摺パネル材２７に固定するように構成されていたため、施工現場における防水パンの固定作業が煩雑である、という不具合が存していた。
【０００５】
このような観点から、本件特許出願人は、以上のような課題を解決するための技術を、日本特許情報機構（ＪＡＰＩＯ）の先行技術調査（パトリス）の利用により。以下の検索式で昭和５５年以降の特許出願及び実用新案登録出願を調査した。
検索式  ：  Ｅ０４Ｂ０１／００．５０１Ｎ
その結果、特許出願２８件、実用新案登録出願２０６件を抽出した。
【０００６】
その結果、実公平７−３８４８２号の従来技術において、関連する技術を発見したが、この技術はベランダのデッキを根太に固定するための技術であって、本件におけるような、防水パンを壁面に固定されたブラケットに固定するための技術ではない。
そこで、本発明の技術的課題は、住宅のバルコニーを形成する際に、防水パンのブラケットへの固定作業を容易かつ迅速に行うことにある。
【０００７】
【課題を解決するための手段】
このような技術的課題解決のため、本発明にあっては、住宅のバルコニー床部を形成する防水パン１０を、住宅の壁面２２に突設されたブラケット１３に固定するバルコニーの防水パンの固定構造であって、防水パン１０の裏面側には、ブラケット１３側に連結部材１８を介して固定するための係合部としての突部（支持突部１１）が突出して設けられ、この突部１１には、上記連結部材１８の一端部が係止される孔部１２が開設されると共に、ブラケット１３の側面部には、上記突部１１との間を上記連結部材１８により固定されることにより、防水パン１０をブラケット１３へ固定する固定片１４が設けられ、この固定片１４には、上記連結部材１８の他端部が係止される孔部１７が開設されており、連結部材１８は、全体略棒状に形成されたフック部材１９と、ナット２０とからなり、上記フック部材１９は、一端部は折曲形成されて係止部２１が形成されると共に他端部には上記スクリュー部３１が形成され、上記フック部材１９は、上記ブラケット１３上に防水パン１０が載置された場合における上記突部１１と固定片１４との間の間隔寸法よりも大きく形成されており、上記ブラケット１３上に防水パン１０が載置された場合において、上記突部１１側の孔部１２に上記フック部材１９の係止部２１を係止すると共に、固定片１４側の孔部１７内に上記スクリュー部３１を挿通させてナット２０により締め付け固定するように構成されていることを特徴とする。
【０００８】
従って、本発明にあっては、以下のような作用を有する。
即ち、本発明によれば、バルコニーの防水パン１０をブラケット１３へ固定する場合には、防水パン１０の係合部として裏面側に突出して設けた突部１１に開設した孔部１２に連結部材１８の一端部を係止して、防水パン１０をブラケット１３上に載置し、上記連結部材１８の他端部をブラケット１３の側面部に設けた固定片１４に開設した孔部１７に固定することにより、防水パン１０をブラケット１３へ固定する。
【０００９】
【００１０】
【００１１】
【００１２】
ここで、上記のようにフック部材１９は、上記ブラケット１３上に防水パン１０が載置された場合における上記突部１１と固定片１４との間の間隔寸法よりも大きく形成されているから、上記ブラケット１３上に防水パン１０が載置した場合において、上記突部１１側の孔部１２に上記フック部材１９の係止部２１を係止すると共に、固定片１４側の孔部１７内に上記スクリュー部３１を挿通させてナット２０により締め付け固定することにより、防水パン１０をブラケット１３へ固定することができるのである。
【００１３】
その結果、本発明にあっては、住宅のバルコニーを形成する際に、防水パン１０のブラケット１３への固定作業を容易かつ迅速に行うことができる、という効果を奏する。
【００１４】
【発明の実施の形態】
以下、添付図面に示す実施の形態に基づき、本発明に係るバルコニーの防水パンの固定構造を詳細に説明する。なお、従来と同一の部材には同一の符号を付して説明を省略する。
図１に示すように、本実施の形態に係るバルコニーの防水パンの固定構造にあっては、防水パン１０の裏面側に、係合部として複数の支持突部１１が設けられている。
【００１５】
この支持突部１１は、防水パン１０の長さ方向に沿って設けられた突条として形成され、幅方向に所定間隔をおいて複数設けられ、防水パン１０がブラケット１３上に載置された場合には、ブラケット１３に当接して支持部として機能するように構成されている。これらの支持突部１１には長さ方向に沿って一定間隔をおいて複数の孔部１２が開設されている。
【００１６】
一方、ブラケット１３の側面部には、側面Ｌ字状に形成された二つの固定片１４が設けられている。本実施の形態にあっては、これらの一方の固定片１４ａは、防水パン１０の幅方向一端部３２と支持突部１１ａとの間の間隔寸法と同一の間隔寸法分ブラケット１３の基端部３４から離間した部位に設けられると共に、他方の固定片１４ｂは、防水パン１０の幅方向他端部３３と、外方から内方に向かって２本目の支持突部１１ｂとの間の間隔寸法分ブラケット１３の先端部３５から離間した部位に設けられている。
【００１７】
これらの固定片１４ａ，１４ｂは、ブラケット１３へ適宜手段により固定される取付片部１５と、取付片部１５に直角に連設された係止片部１６とからなり、係止片部１６には孔部１７が開設されている。そして、上記防水パン１０とブラケット１３との間は、連結部材１８により固定される。
【００１８】
この連結部材１８は、本実施の形態にあっては、全体略Ｌ字状に形成されたフック部材１９とナット２０とからなる。上記フック部材１９の一端部は折曲形成されて係止部２１が形成されると共に他端部にはスクリュー部３１が形成されている。
そして、上記フック部材１９は、上記ブラケット１３上に防水パン１０が載置された場合の、支持突部１１と上記固定片１４の係止片部１６との間の間隔寸法よりも大きく形成され、上記ブラケット１３上に防水パン１０が載置された場合には、上記支持突部１１の孔部１２にフック部材１９の係止部２１を係止すると共に、固定片１４の係止片部１６に開設された孔部１７内に上記スクリュー部３１を挿通しうるように構成されている。
【００１９】
以下、本実施の形態に係るバルコニーの防水パンの固定構造の作用を説明する。
本実施の形態に係るバルコニーの防水パンの固定構造を用いてバルコニーの防水パン１０をブラケット１３へ固定する場合には、防水パン１０の支持突部１１ａ，１１ｂの孔部１２に連結部材１８を構成するフック部材１９の係止部２１を、夫々係止させた状態で、防水パン１０をブラケット１３上に載置する。
【００２０】
そして、上記フック部材１９，１９のスクリュー部３１を、上記係止突部１１ａに対応する固定片１４ａ及び、上記係止突部１１ｂに対応する固定片１４ｂの孔部１７，１７に、夫々、挿通させる。その後、これらフック部材１９のスクリュー部３１に、夫々、ナット２０をはめ込み、ナット２０を締め込んでフック部材１９を固定片１４へ固定する。
【００２１】
従って、フック部材１９及びナット２０からなる連結部材１８により防水パン１０はブラケット１３へ固定されるものである。
従って、本実施の形態に係るバルコニーの防水パンの固定構造にあっては、防水パン１０のブラケット１３への載置と略同時に固定作業を行うことができ、従来のように、防水パン１０をブラケット１３へ載置した後、ドリルにより防水パン１０の周縁部に固定孔を開設する必要がなく、防水パン１０のブラケット１３への固定作業を容易かつ迅速に行うことができる。
【００２２】
なお、本実施の形態にあっては、防水パン１０の裏面に設けられた複数の係合部１１が、防水パン１０の裏面側へ突出して設けられた支持突部により形成されている場合を例に説明したが、上記実施の形態に限定されず、上記係合部１１が支持突部とは別個に防水パン１０に設けられていてもよい。
また、上記固定片１４が取付片部１５と係止片部１６とを有し、ブラケット１３の側面部に取り付けられている場合を例に説明したが、固定片の形状に関しては上記実施の形態に限定されない。
【００２３】
更に、フック部材１９の具体的形状に関しても上記実施の形態には限定されない。
【００２４】
【発明の効果】
本発明にあっては、住宅のバルコニーを形成する際に、防水パンのブラケットへの固定作業を容易かつ迅速に行うことができる。
【図面の簡単な説明】
【図１】本発明に係るバルコニーの防水パンの固定構造を示す断面図であって、防水パンをブラケットに固定する状態を示す図である。
【図２】本発明に係るバルコニーの防水パンの固定構造を示す断面図であって、防水パンをブラケットに固定した状態を示す図である。
【図３】従来のバルコニーの防水パンの固定構造を示す断面図である。
【図４】従来のバルコニーの防水パンの手摺パネル側における固定状態を示す斜視図である。
【図５】従来のバルコニーの防水パンの住宅躯体側における固定状態を示す斜視図である。
【符号の説明】
１０…防水パン、１１…支持突部（係合部）、１２…孔部、１３…ブラケット、１４…固定片、１５…取付片部、１６…係止片部、１７…孔部、１８…連結部材、１９…フック部材、２０…ナット、２１…係止部、２２…壁面、２３…ブラケット、２４…根太、２５…合板、２６…防水パン、２７…手摺パネル材、２８…孔部、２９…躯体、３０…スクリュー釘、３１…スクリュー部、３２…幅方向一端部、３３…幅方向他端部、３４…基端部、３５…先端部。
【図１】
0003611647.tif 000002
【図２】
0003611647.tif 000003
【図３】
0003611647.tif 000004
【図４】
0003611647.tif 000005
【図５】
0003611647.tif 000006